(57)【特許請求の範囲】
【請求項１】
容器本体の口筒部に装着されるキャップ本体と、キャップ本体とヒンジによって開閉可能に連結された蓋体とからなるヒンジキャップにおいて、
キャップ本体は、注出筒と、注出筒の外周下部に連設され、蓋体と係合するリング状の蓋係合部と、蓋係合部の外縁に内周上端が連設される外周壁部とを具え、
外周壁部は、蓋係合部の外縁に内周上端が連設される外筒と、外筒のヒンジの反対側の中央部から所定の距離をおいて両側に突設される連結部と、外筒から一定の間隔を隔てて、両方の連結部の外方側面に連設される円弧状の外周壁とを具え、
両方の連結部の内方側面に、外筒から一定の間隔を隔てて、破断可能な弱化部を介して封緘部材が連設され、
封緘部材と両方の連結部と外周壁の外面は、面一に連なる周面となし、
封緘部材の内面と、外筒の外面と、両方の連結部の内方面との間で、挿入口が形成され、
封緘部材の中央部に、下端から切欠き、係止下面を形成する係止切欠けが形成され、
蓋体は、頂壁と、頂壁の外縁に垂設される外周壁とを具え、
蓋体の外周壁の内周下部には、キャップ本体の蓋係合部の上部外周と係合する係合部が設けられ、
蓋体の外周壁のヒンジの反対側には、下端面に、キャップ本体の外周壁部の挿入口に挿入され、封緘部材と係合する舌片が垂設され、
舌片の外面下端部には係止突部が配設され、
係止突部には、上部に封緘部材の係止下面に係合する上面が形成されていることを特徴とする不正防止キャップ。
【請求項２】
封緘部材の係止切欠けの両側、または、片側の壁部下端には、封緘部材を除去する際に指で摘むリップ部が弱化部に隣接して形成されていることを特徴とする請求項１記載の不正防止キャップ。
【請求項３】
封緘部材の上部には、他の外周壁部の上端より上方に突出するとともに、封緘部材を除去する際に指で摘むリップ片が形成されており、
蓋体の外周壁のヒンジの反対側の外周には、下部に、リップ片の内面に係合する係合凹部が凹設され、中央部に、指掛け部が係合凹部から続くとともに、係合凹部より深く凹設されていることを特徴とする請求項１記載の不正防止キャップ。
【発明の詳細な説明】
【技術分野】
【０００１】
本発明は、ヒンジキャップ、とくに不正な開封を防止する機構を具えた不正防止キャップに関するものである。
【背景技術】
【０００２】
液体状あるいは粉体状などの流動性内容物を収納した容器本体の口筒部に開閉自在なヒンジキャップが装着された各種容器においては、これら内容物が不正に抜き取られたり、詰め替えられないように、また、内容物に有害物質が混入されることがないように、不正な開封を防止することが必要である。
【０００３】
そこで、ヒンジキャップの蓋体またはキャップ本体に封緘部材を切離し可能に連設し、未開封状態時に、封緘部材をキャップ本体または蓋体と係合させて閉蓋状態を維持させ、封緘部材の有無で視覚的に開封状態を確認できるようにした不正防止キャップは、従来より知られている（例えば、特許文献１参照）。
【先行技術文献】
【特許文献】
【０００４】
【特許文献１】実開平４−３５５５３号公報
【発明の概要】
【発明が解決しようとする課題】
【０００５】
上記特許文献１記載のヒンジキャップは、蓋体（２）のヒンジ（３）の反対側に押圧片（４）を設け、キャップ本体（１）に薄肉部（６）を介して封緘部材に相当する係合片（７）を取り付けたものである。
【０００６】
そのため、容器を搬送する際の落下などで、蓋体、または、係合片自体に力が掛かると、薄肉部が切断され、封緘部材がキャップ本体から外れるという問題もあった。
【０００７】
本発明は、上記問題を解決することを課題とし、ヒンジキャップに切離し可能に連設した封緘部材により、不正の確認ができるとともに、閉蓋状態をより強固に維持することができ、また、落下などでキャップに力が掛かっても簡単に開蓋しないようにした不正防止キャップを提供することを目的とする。
【課題を解決するための手段】
【０００８】
本発明は、上記の課題を解決するため、不正防止キャップとして、容器本体の口筒部に装着されるキャップ本体と、キャップ本体とヒンジによって開閉可能に連結された蓋体とからなるヒンジキャップにおいて、キャップ本体は、注出筒と、注出筒の外周下部に連設され、蓋体と係合するリング状の蓋係合部と、蓋係合部の外縁に内周上端が連設される外周壁部とを具え、外周壁部は、蓋係合部の外縁に内周上端が連設される外筒と、外筒のヒンジの反対側の中央部から所定の距離をおいて両側に突設される連結部と、外筒から一定の間隔を隔てて、両方の連結部の外方側面に連設される円弧状の外周壁とを具え、両方の連結部の内方側面に、外筒から一定の間隔を隔てて、破断可能な弱化部を介して封緘部材が連設され、封緘部材と両方の連結部と外周壁の外面は、面一に連なる周面となし、封緘部材の内面と、外筒の外面と、両方の連結部の内方面との間で、挿入口が形成され、封緘部材の中央部に、下端から切欠き、係止下面を形成する係止切欠けが形成され、蓋体は、頂壁と、頂壁の外縁に垂設される外周壁とを具え、蓋体の外周壁の内周下部には、キャップ本体の蓋係合部の上部外周と係合する係合部が設けられ、蓋体の外周壁のヒンジの反対側には、下端面に、キャップ本体の外周壁部の挿入口に挿入され、封緘部材と係合する舌片が垂設され、舌片の外面下端部には係止突部が配設され、係止突部には、上部に封緘部材の係止下面に係合する上面が形成されていることを特徴とする構成を採用する。
【００１０】
封緘部材の実施例として、封緘部材の係止切欠けの両側、または、片側の壁部下端には、封緘部材を除去する際に指で摘むリップ部が弱化部に隣接して形成されていることを特徴とする構成を採用する。
【００１１】
封緘部材と蓋体の別実施例として、封緘部材の上部には、他の外周壁部の上端より上方に突出するとともに、封緘部材を除去する際に指で摘むリップ片が形成されており、蓋体の外周壁のヒンジの反対側の外周には、下部に、リップ片の内面に係合する係合凹部が凹設され、中央部に、指掛け部が係合凹部から続くとともに、係合凹部より深く凹設されていることを特徴とする構成を採用する。
【発明の効果】
【００１２】
本発明の不正防止キャップは、ヒンジキャップにおいて、キャップ本体の外周壁部が外筒と、外筒のヒンジの反対側の中央部から所定の距離をおいて両側に突設される連結部と、外筒から一定の間隔を隔てて、両方の連結部の外方側面に連設される円弧状の外周壁と、両方の連結部の内方側面に、外筒から一定の間隔を隔てて、破断可能な弱化部を介して連設された封緘部材が設けられ、封緘部材と両方の連結部と外周壁の外面は、面一に連なる周面となし、封緘部材の内面と、外筒の外面と、両方の連結部の内方面との間で、挿入口が形成され、封緘部材の中央部に、下端から切欠き、係止下面を形成する係止切欠けが形成され、挿入口に、蓋体の外周壁の下端面に配設した舌片が挿入され、舌片の外面下端部に配設された係止突部の上面が、封緘部材の係止下面に係合することによって、未開封の閉蓋状態をより強固に維持することができ、容器を搬送する際の落下などでキャップに力が掛かっても、開蓋することを防止することができる。
【００１３】
また、開蓋の際には、封緘部材と外周壁部の連結部とを連設する弱化部が破断され、封緘部材が除去されることによって、封緘部材の状況により、不正開蓋の有無が確認ができる。
【図面の簡単な説明】
【００１４】
【図１】本発明の第１実施例のキャップの斜視図である。
【図２】キャップの閉蓋時の説明図で、（ａ）は断面側面図、（ｂ）は要部拡大図である。
【図３】キャップの開蓋時の上面図である。
【図４】（ａ）は蓋体の一部断面正面図、（ｂ）はキャップ本体の一部断面正面図である。
【図５】封緘部材を除去後のキャップの説明図で、（ａ）は断面側面図、（ｂ）は正面図である。
【図６】本発明の第２実施例のキャップの閉蓋時の説明図で、（ａ）は断面側面図、（ｂ）は正面図である。
【図７】キャップの開蓋時の上面図である。
【図８】（ａ）は蓋体の一部断面正面図、（ｂ）はキャップ本体の一部断面正面図である。
【発明を実施するための形態】
【００１５】
次に、本発明の不正防止キャップについて、実施例をあげ、図面を参照して説明する。
【実施例１】
【００１６】
図１〜３において、Ａは容器本体の口筒部に装着するキャップ本体、Ｂはキャップ本体ＡにヒンジＣを介して開閉可能に取り付けられた蓋体である。
【００１７】
キャップ本体Ａは、図１〜３、４（ｂ）に示すように、注出筒１と、注出筒１の外周下部に連設され、蓋体Ｂと係合するリング状の蓋係合部２と、蓋係合部２内縁下面に垂設される内筒３と、蓋係合部２の外縁に内周上端が連設される外周壁部４とを具えている。
【００１８】
注出筒１の内周下部には、隔壁５が設けられ、隔壁５には、支柱を介してプルリング６によって抜栓されたときに除去され、内容液が注出される注出口を形成する除去部７が形成されている。
【００１９】
外周壁部４は、蓋係合部２の外縁に内周上端が連設される外筒８と、外筒８のヒンジＣの反対側の中央部から所定の距離をおいて両側に突設される連結部９と、外周上端にヒンジＣが連設され、外筒８から一定の間隔を隔てて両方の連結部９の外方側面に連設される円弧状の外周壁１０とを具えている。
【００２０】
両方の連結部９の内方側面には、外筒８から一定の間隔を隔てて、破断可能な弱化部１１を介して封緘部材１２が連設されている。
封緘部材１２と両方の連結部９と外周壁１０の外面は、面一に連なる周面となっており、また、封緘部材１２の内面と、外筒８の外面と、両方の連結部９の内方面との間で、挿入口ａが形成されている。
【００２１】
外筒８の内周下端には、係合突条１３が設けられており、キャップ本体Ａは、内筒３の外周が容器本体の口筒部内周に挿入し、外筒８の内周が容器本体の口筒部外周と嵌合することによって、容器本体の口筒部に装着される。
【００２２】
封緘部材１２には、ヒンジＣの反対側を中央部として、下端から切欠き、係止下面１４ａを形成する係止切欠け１４が形成されている。
封緘部材１２の係止切欠け１４の両側の壁部下端には、封緘部材１２を除去する際に指で摘むリップ部１５が弱化部１１に隣接して形成されている。
【００２３】
外筒８の下端外周と外周壁１０の下端内周には、間隔を隔てて、破断可能な弱化片１６が複数配設されている。
【００２４】
蓋体Ｂは、図１〜３、４（ａ）に示すように、頂壁２０と、頂壁２０の外縁に垂設される外周壁２１と、頂壁２０の下面に垂設され、閉蓋時に外周がキャップ本体Ａの注出筒１の内周と係合する密封筒２２が設けられている。
【００２５】
外周壁２１には、内周下部に、閉蓋時にキャップ本体Ａの蓋係合部２の上部外周と係合し、閉蓋状態を維持する係合部２３が設けられ、外周下部の所定の位置にヒンジＣが連設されている。
【００２６】
外周壁２１のヒンジＣの反対側には、外周に、開蓋時に指先が引掛かるような適切な形状の指掛け部２４が凹設され、下端面に、閉蓋時にキャップ本体Ａの外周壁部４の挿入口ａに挿入され、係合する舌片２５が垂設されている。
【００２７】
舌片２５の外面下端部には、係止突部２６が配設されている。
係止突部２６には、上部に外周壁部４の封緘部材１２の係止下面１４ａに係合する上面２６ａと、下部に傾斜面２６ｂが形成されている。
【００２８】
次に、本実施例のキャップの作用効果について、説明する。
キャップを最初に閉蓋する際には、蓋体Ｂの舌片２５の係止突部２６の傾斜面２６ｂがキャップ本体Ａの外周壁部４の封緘部材１２の内面に当接し、封緘部材１２を僅かに変形させながら、舌片２５をキャップ本体Ａの外周壁部４の挿入口ａ内に挿入させていく。
【００２９】
最後は、舌片２５の係止突部２６が封緘部材１２の係止切欠け１４内に移動し、封緘部材１２の内周との当接が終了することによって、封緘部材１２が元の状態に戻り、また、キャップ本体Ａの蓋係合部２の上部外周と蓋体Ｂの係合部２３の内周が係合し、未開封状態として閉蓋される。
【００３０】
キャップの未開封状態では、図２に示すように、キャップ本体Ａの蓋係合部２と蓋体Ｂの係合部２３の係合の他に、舌片２５の係止突部２６が封緘部材１２の係止切欠け１４内に移動し、舌片２５の係止突部２６の上面２６ａが封緘部材１２の係止切欠け１４の係止下面１４ａに係合することによって、閉蓋状態をより強固に維持することができる。
【００３１】
また、未開封状態から、無理に開蓋しようとしても、舌片２５の係止突部２６の上面２６ａが封緘部材１２の係止切欠け１４の係止下面１４ａに係合しているとともに、舌片２５の外面と封緘部材１２の内面とが当接して抵抗となっているので、簡単に開蓋することができない。
【００３２】
未開封状態から、キャップを開蓋する際には、まず、キャップ本体Ａの封緘部材１２のリップ部１５に指を掛け、上方に引っ張る。
【００３３】
リップ部１５を引っ張ると、封緘部材１２の下端から引っ張られ、弱化部１１を下端から切断していき、封緘部材１２を両方の連結部９から破断し、図５に示すように、封緘部材１２をキャップ本体Ａから除去する。
封緘部材１２をキャップ本体Ａから除去すると、外周壁部４には、外筒８のヒンジＣの反対側の外面と両方の連結部９の内方側面との間で、凹部ｂが形成される。
【００３４】
次に、蓋体Ｂの指掛け部２４に指を掛け、蓋体Ｂを押し上げ、開蓋する。
その際、閉蓋状態を維持しているのが、キャップ本体Ａの蓋係合部２と蓋体Ｂの係合部２３との係合のみとなり、簡単に開蓋することができる。
【００３５】
また、蓋体Ｂを押し上げる際に、指掛け部２４に掛けた指の外周壁２１より下方に位置する部分が、舌片２５の外面に当接することにより、指がキャップ本体Ａの注出筒２の外方に接触することを防止でき、指または注出筒２を汚すこと無く清潔に開蓋することができる。
【００３６】
開蓋後に、キャップ本体Ａの隔壁５から除去部７を抜栓して注出口を開口し、容器を傾けることによって、注出筒１を介して内容物を注出する。
【００３７】
封緘部材１２を除去後、閉蓋した際には、蓋体Ｂの舌片２５が外周壁部４の凹部ｂ内に載置されるので、舌片２５が外方に張り出すことが無く、デザイン的にすっきりするとともに、容器を落下した場合に、床などに舌片２５が当たり開蓋してしまうことを防止することができる。
【００３８】
本実施例のキャップは、未開封状態から開蓋する際に、キャップ本体Ａの外周壁部４から弱化部１１を切断して封緘部材１２を除去しないと開蓋されないので、封緘部材１２の状態により、開封されたことを容易に視認することができるとともに、不正に開封されたことが外観から容易に確認できる。
【００３９】
本実施例のキャップは、容器内の内容物を全部使用した後、容器本体から分別して廃棄することができる。
その際には、キャップを開蓋し、蓋体Ｂを上方に引張ると、ヒンジＣを介してキャップ本体Ａの外周壁１０が引っ張られ、弱化片１６が切断される。
弱化片１６が切断されると、外周壁１０は外周壁部４の外筒８から離れて変形しながら両方の連結部９を引っ張り、両方の連結部９を介して、ヒンジＣの反対側の外周壁部４の外筒８の凹部ｂ付近の下部を引っ張る。
外筒８の下部の一部が引っ張り上げられると、外筒８が変形し、キャップ本体Ａと容器本体の口筒部との嵌合が外され、キャップと容器本体とを分別廃棄することができる。
【００４０】
上記実施例では、キャップ本体Ａの封緘部材１２に、ヒンジＣの反対側を中央部として、下端から切欠いて係止切欠け１４を形成し、係止切欠け１４の両側の壁部を、指などで摘みやすく形成されたリップ部１５としたが、指などで摘んで引っ張り、封緘部材をキャップ本体から除去できればよいので、リップ部は両側の壁部のいずれか一方のみに形成するようにしてもよい。
【実施例２】
【００４１】
次に、第１実施例の不正防止キャップのキャップ本体の封緘部材のリップ部、および、蓋体の外周壁の構成を変えた第２実施例について、説明する。
本実施例の第１実施例と同一の構成部分には、同一の符号を付して図示して、詳しい説明を省略し、相違点を中心に説明する。
【００４２】
図６〜８において、Ｄは容器本体の口筒部に装着するキャップ本体、Ｅはキャップ本体ＤにヒンジＣを介して開閉可能に取り付けられた蓋体である。
【００４３】
キャップ本体Ｄは、図６〜７、８（ｂ）に示すように、注出筒１と、注出筒１の外周下部に連設され、蓋体Ｂと係合するリング状の蓋係合部２と、蓋係合部２内縁下面に垂設される内筒３と、蓋係合部２の外縁に内周上端が連設される外周壁部４とを具えている。
【００４４】
外周壁部４には、外筒８のヒンジＣの反対側の中央部から所定の距離をおいて両側に連結部９が突設され、両方の連結部９の内方側面には、外筒８から一定の間隔を隔てて、破断可能な弱化部３０を介して封緘部材３１が連設されている。
【００４５】
封緘部材３１には、上部が、他の外周壁部４の部分の上端より上方に突出するとともに、封緘部材３１を除去する際に指で摘むリップ片３２が形成されており、下端部には、係止切欠け１４が形成されている。
【００４６】
封緘部材３１と両方の連結部９と外周壁１０の外面は、面一に連なる周面となっており、また、封緘部材３１の内面と、外筒８の外面と、両方の連結部９の内方面との間で、挿入口ａが形成されている。
【００４７】
蓋体Ｅには、図６〜７、８（ａ）に示すように、頂壁２０の外縁に垂設される外周壁３５が設けられている。
【００４８】
外周壁３５には、内周下部に、閉蓋時にキャップ本体Ｄの蓋係合部２の上部外周と係合し、閉蓋状態を維持する係合部２３が設けられ、外周下部の所定の位置にヒンジＣが連設されている。
【００４９】
外周壁３５のヒンジＣの反対側の外周には、下部に、キャップ本体Ｄのリップ片３２の内面が係合する係合凹部３６が凹設され、中央部に、開蓋時に指先が引掛かるような適切な形状の指掛け部２４が、係合凹部３６から続くとともに、凹部中央が係合凹部３６より深く凹設されている。
外周壁３５のヒンジＣの反対側の下端面には、外面下端部に係止突部２６が配設された舌片２５が垂設されている。
【００５０】
係合凹部３６は、閉蓋した際に、キャップ本体Ｄのリップ片３２と係合し、リップ片３２の外面が、蓋体Ｅの外周壁３５の外周面と面一に連なる周面となる深さで形成されている。
また、リップ片３２は、閉蓋した際に、上端部が、蓋体Ｅの指掛け部２４の凹部中央の位置に来る高さに形成されている。
【００５１】
次に、本実施例のキャップの作用効果について、説明する。
キャップを最初に閉蓋する際には、蓋体Ｅの舌片２５をキャップ本体Ｄの外周壁部４の挿入口ａ内に挿入させていく。
【００５２】
最後は、舌片２５の係止突部２６がキャップ本体Ｄの封緘部材３１の係止切欠け１４の係止下面１４ａと係合し、また、キャップ本体Ｄの蓋係合部２の上部外周と蓋体Ｅの係合部２３の内周が係合するとともに、封緘部材３１のリップ片３２が蓋体Ｅの外周壁３５の係合凹部３６の内方に係合し、未開封状態をより強固に維持することができる。
【００５３】
キャップの未開封状態では、図６に示すように、キャップ本体Ｄの封緘部材３１のリップ片３２が蓋体Ｅの外周壁３５の指掛け部２４および係合凹部３６の内方に載置されるので、リップ片３２が蓋体Ｅの外周壁３５の外周面より外方に張り出すことが無く、デザイン的にすっきりするとともに、容器を落下した場合に、床などにリップ片３２が当たり封緘部材３１を両方の連結部９から破断させてしまうことを防止することができる。
【００５４】
未開封状態から、キャップを開蓋する際には、まず、キャップ本体Ｄの封緘部材３１のリップ片３２に指を掛け、下方に引っ張る。
その際、リップ片３２の上部が蓋体Ｅの指掛け部２４の凹部に位置しているので、リップ片３２に指を掛けやすくなっている。
【００５５】
リップ片３２を引っ張ると、封緘部材３１の上端から引っ張られ、弱化部３０を上端から切断していき、封緘部材３１を両方の連結部９から破断し、封緘部材３１をキャップ本体Ｄから除去する。
【００５６】
次に、蓋体Ｅの指掛け部２４に指を掛け、蓋体Ｅを押し上げ、開蓋する。
その際、閉蓋状態を維持しているのが、キャップ本体Ｄの蓋係合部２と蓋体Ｅの係合部２３との係合のみとなり、簡単に開蓋することができる。
【００５７】
本実施例のキャップは、未開封状態から開蓋するためには、キャップ本体Ｄの外周壁部４から弱化部３０を切断して封緘部材３１を除去しないと開蓋されないので、封緘部材３１の状態により、開封されたことを容易に視認することができるとともに、不正に開封されたことが外観から容易に確認できる。
その他の作用効果は、実施例１と同じである。
【産業上の利用可能性】
【００５８】
本発明の不正防止キャップは、開封後も繰り返し蓋体を開閉して内容物を注出することができる通常のヒンジキャップに広く採用することができ、とくに安全を確保することが強く要求される飲料用、食品用などの容器のキャップに採用して好適である。
【符号の説明】
【００５９】
Ａ、Ｄ      キャップ本体
Ｂ、Ｅ      蓋体
Ｃ          ヒンジ
ａ          挿入口
ｂ          凹部
１          注出筒
２          蓋係合部
３          内筒
４          外周壁部
５          隔壁
６          プルリング
７          除去部
８          外筒
９          連結部
１０        外周壁
１１、３０    弱化部
１２、３１    封緘部材
１３        係合突条
１４        係止切欠け
１４ａ      係止下面
１５        リップ部
１６        弱化片
２０        頂壁
２１、３５  外周壁
２２        密封筒
２３        係合部
２４        指掛け部
２５        舌片
２６        係止突部
２６ａ      上面
２６ｂ      傾斜面
３２        リップ片
３６        係合凹部
【図１】
0005950495.tif 000002
【図２】
0005950495.tif 000003
【図３】
0005950495.tif 000004
【図４】
0005950495.tif 000005
【図５】
0005950495.tif 000006
【図６】
0005950495.tif 000007
【図７】
0005950495.tif 000008
【図８】
0005950495.tif 000009